(57)【要約】      （修正有）【課題】本考案は、知能指示ランプ装置を提供する。【解決手段】本考案に係る知能指示ランプ装置は、ランプ本体構造１０とコントローラとを備える。ランプ本体構造１０は、設備機器に直立されており、本体１１と導光カバー１２とを備える。本体１１には、時間表示モジュール１１１と複数の発光モジュール１１２とが設けられる。時間表示モジュール１１１は、本体１１の長手方向に沿って設けられる。導光カバー１２は、透明状であり、本体１１を被覆する。コントローラは、本体１１と設備機器とに接続されており、設備機器の動作状態信号及び加工時間信号を受信し、動作状態信号及び加工時間信号に基づいて、発光モジュール１１２の発光及び時間表示モジュール１１１の加工カウントダウン時間表示を制御する。これにより、操作者が設備機器の動作及び加工時間をリアルタイムに把握できるという効果を奏する。【選択図】図１
0003220452.tif 000002
【実用新案登録請求の範囲】
【請求項１】
ランプ本体構造とコントローラとを備える知能指示ランプ装置であって、
前記ランプ本体構造は、設備機器に直立されており、本体と導光カバーとを備え、
前記本体の外周縁には、時間表示モジュールと複数の発光モジュールとが設けられ、
前記時間表示モジュールは、前記本体の長手方向に沿って設置され、
前記導光カバーは、透明状であり、前記本体を被覆するための収容空間を有し、
前記コントローラは、前記本体と前記設備機器とに接続されており、互いに接続された信号受信モジュールと発光判断モジュールと時間カウントダウンモジュールとを備え、
前記信号受信モジュールは、前記設備機器の動作状態信号を受信し、
前記発光判断モジュールは、前記動作状態信号に基づいて発光指示情報を生成し、前記複数の発光モジュールの発光を制御し、
前記時間カウントダウンモジュールは、時間カウントダウン情報が設けられ、前記時間表示モジュールにより表示する、
ことを特徴とする知能指示ランプ装置。
【請求項２】
前記発光判断モジュールは、
前記動作状態信号に基づいて前記発光指示情報の生成を判断する機器動作判断ユニットと、
前記発光指示情報に基づいて発光モジュールが異なる色を発光するように制御する発光制御ユニットと、
を備える
ことを特徴とする請求項１に記載の知能指示ランプ装置。
【請求項３】
前記機器動作判断ユニットにより前記設備機器が起動状態であると判断された場合は、前記発光指示情報は緑光となり、
前記機器動作判断ユニットにより前記設備機器がスタンドバイ状態であると判断された場合は、前記発光指示情報は黄光となり、
前記機器動作判断ユニットにより前記設備機器が異常状態であると判断された場合は、前記発光指示信号は赤光となる
ことを特徴とする請求項２に記載の知能指示ランプ装置。
【請求項４】
前記時間カウントダウンモジュールは、カウントダウン設定ユニットと加工アラームユニットとを備えており、
前記カウントダウン設定ユニットは、前記時間カウントダウン情報を格納して設定し、前記時間表示モジュールに伝送して表示させ、
前記加工アラームユニットは、アラーム時間値が設定され、前記時間カウントダウン情報が前記アラーム時間値よりも少ない場合、アラーム信号を生成し、
前記時間表示モジュールは、前記アラーム信号に基づいて点滅警報を表示する、
ことを特徴とする請求項１に記載の知能指示ランプ装置。
【請求項５】
前記本体の外周縁には、長手方向に沿って３つの取付槽が設けられており、
前記３つの取付槽には、それぞれ、前記発光モジュールが配置されている、
ことを特徴とする請求項１に記載の知能指示ランプ装置。
【請求項６】
前記発光モジュールは、それぞれ、発光ダイオードのライトバーであることを特徴とする請求項５に記載の知能指示ランプ装置。
【請求項７】
前記ランプ本体構造は、基台をさらに備え、
前記本体は、前記基台の上端に設けられ、
前記導光カバーは、前記基台に着脱可能に接続されていることを特徴とする請求項１に記載の知能指示ランプ装置。
【請求項８】
前記ランプ本体構造が前記設備機器にロックされるように、前記基台の底端には基盤を有することを特徴とする請求項７に記載の知能指示ランプ装置。
【請求項９】
前記時間表示モジュールは、ドットマトリックス型表示ディスプレイであり、
前記時間カウントダウン情報は、分および秒の数であることを特徴とする請求項１に記載の知能指示ランプ装置。
【請求項１０】
前記ランプ本体構造の外観は略円筒状であることを特徴とする請求項１に記載の知能指示ランプ装置。
【考案の詳細な説明】
【技術分野】
【０００１】
本考案は、加工指示ランプに関し、特に、ランプ信号及び加工カウントダウン時間を表示可能な知能指示ランプ装置に関する。
【背景技術】
【０００２】
近年、経済の競争及び発展に伴い、多くの業者は、会社の運営利益を向上させるために、続々と自動化加工設備を導入し、人事コストの低減及び製品の加工歩留まりの向上を図る。自動化加工設備には、通常、異なる色のランプ信号により操作者に対して現在の自動化加工設備の運転状況を提示するための指示ランプが取り付けられている。
【０００３】
しかしながら、操作者は、上記の従来の指示ランプにより自動化加工設備を効果的に管理できない。一つの例として、操作者が複数の自動化加工設備を監視する場合、各自動化加工設備の動作状態及び加工時間が大きく異なるため、操作者は、従来の指示ランプのランプ信号により各自動化加工設備の加工時間を正しく把握できないので、各自動化加工設備の現段階での加工状況を効果的に理解できず、逆に加工効率が低下するという課題が生じる。
【０００４】
従って、従来の指示ランプは指示変化性を有せず、操作者にとっては、各自動化加工設備の運転状態及び加工時間を効果的に把握できず、管理的には極めて不便であるため、業界及びユーザはこの課題の解決を期待している。
【考案の概要】
【考案が解決しようとする課題】
【０００５】
従来の指示ランプによる課題を解決するために、本考案は、設備機器の運転状態を効果的に監視でき、設備機器の現在の加工カウントダウン時間を表示でき、操作者が各設備機器の運転と加工時間をリアルタイムに把握できる知能指示ランプ装置を提供することを目的とする。
【課題を解決するための手段】
【０００６】
上記の目的を達成するために、本考案に係る知能指示ランプ装置は、ランプ本体構造とコントローラとを備える。ランプ本体構造は、設備機器に直立されており、本体と導光カバーとを備える。本体の外周縁には、時間表示モジュールと複数の発光モジュールとが設けられる。時間表示モジュールは、本体の長手方向に沿って設けられる。導光カバーは、透明状であり、本体を収容するための収容空間を有する。コントローラは、本体と設備機器とに接続されており、互いに接続された信号受信モジュールと発光判断モジュールと時間カウントダウンモジュールとを備える。信号受信モジュールは、設備機器の動作状態信号を受信する。発光判断モジュールは、動作状態信号に基づいて発光指示情報を生成することで、発光モジュールの発光を制御する。時間カウントダウンモジュールは、時間カウントダウン情報が設けられ、時間表示モジュールにより表示する。
【考案の効果】
【０００７】
これによれば、本考案は、設備機器の運転状態をコントローラにより監視することで、発光モジュールの発光を制御し、設備機器の加工時間を検出でき、さらに、時間表示モジュールにより現在の加工カウントダウン時間を表示できるため、操作者が各設備機器の動作と加工時間をリアルタイムに把握でき、設備機器の管理効率の向上および加工生産コストの低減という効果を奏することができる。
【図面の簡単な説明】
【０００８】
【図１】本考案に係る立体模式図である。
【図２】本考案に係る構造分解図である。
【図３】本考案に係るシステム構造図である。
【図４】本考案に係るコントローラの機能ブロック図である。
【図５】本考案において設備機器に設けられている実施状態図である。
【図６】本考案において発光およびカウントダウン時間表示を起動する際の実施模式図である。
【考案を実施するための形態】
【０００９】
以下、具体的な実施例で、本考案の上記の「考案の概要」に示される技術的思想を説明する。実施例におけるそれぞれの異なる部材は、実際の部材のスケールではなく、説明に適するスケールに基づいて描かれたものであることは、言うまでもない。
【００１０】
図１〜図６に示すように、本考案に係る知能指示ランプ装置は、ランプ本体構造１０とコントローラ２０とを備える。コントローラ２０は、設備機器１００の動作状態を制御することにより、ランプ本体構造１０を制御して、発光及び加工カウントダウン時間表示を起動する。
【００１１】
ランプ本体構造１０は、外観が略円筒状であり、設備機器１００に直立されており、本体１１と導光カバー１２と基台１３とを備える。本体１１の外周縁には、時間表示モジュール１１１と複数の発光モジュール１１２とが設けられる。時間表示モジュール１１１は、ドットマトリックス型ディスプレイであり、本体１１の長手方向に沿って本体１１の一方の側面に設けられ、設備機器１００の加工カウントダウン時間を表示する。各発光モジュール１１２は、発光ダイオードのライトバーである。また、本体１１の外周縁には、長手方向に沿って３つの取付槽１１３が設けられ、３つの取付槽１１３には、それぞれ、発光モジュール１１２が設けられる。
【００１２】
導光カバー１２は、透明状であり、収容空間１２１を有する。基台１３は、設備機器１００と本体１１との間に設けられる。この実施例において、本体１１は、基台１３の上端に設けられており、導光カバー１２は、基台１３に着脱可能に接続されることにより、導光カバー１２の収容空間１２１を本体１１に被覆させる。また、基台１３の底端には、複数のロック孔１４１が設けられた基盤１４を有し、各ロック孔１４１により、ランプ本体構造１０を設備機器１００にロックすることが可能となる。
【００１３】
コントローラ２０は、本体１１と設備機器１００とに接続されており、互いに接続された信号受信モジュール２１と発光判断モジュール２２と時間カウントダウンモジュール２３とを備える。信号受信モジュール２１は、有線方式または無線方式により、設備機器１００の動作状態信号を受信できる。発光判断モジュール２２は、動作状態信号に基づいて判断し、発光指示情報を生成して、発光モジュール１１２の発光を制御する。ここで、説明すべきなのは、発光判断モジュール２２は、機器動作判断ユニット２２１と発光制御ユニット２２２とを備え、機器動作判断ユニット２２１は、動作状態信号を受信して発光指示信号の生成を判断し、発光制御ユニット２２２は、発光指示情報に基づいて表示として発光モジュール１１２が異なる色を生成するように制御する。
【００１４】
この実施例において、機器動作判断ユニット２２１を用いることにより、設備機器１００の動作状態を監視し判断することができる。一つの例として、機器動作判断ユニット２２１により動作状態信号に基づいて設備機器１００が起動状態であると判断された場合は、機器動作判断ユニット２２１によって生成された発光指示情報は緑光となり、操作者に対して、現在の設備機器１００は加工が進行中であることを提示する。機器動作判断ユニット２２１により動作状態信号に基づいて設備機器１００がスタンドバイ状態であると判断された場合は、機器動作判断ユニット２２１によって生成された発光指示情報は黄光となり、操作者に対して、現在の設備機器１００は加工が終了したことを提示する。機器動作判断ユニット２２１により動作状態信号に基づいて設備機器１００が異常状態であると判断された場合は、機器動作判断ユニット２２１によって生成された発光指示情報は赤光となり、操作者に対して、現在の設備機器１００は故障中であり、異常の問題を直ちに排除する必要があることを警告通知する。
【００１５】
時間カウントダウンモジュール２３は、時間カウントダウン情報が設けられ、時間表示モジュール１１１により時間カウントダウン情報を表示する。時間カウントダウン情報とは、通常、分及び秒の数の情報であるが、本考案ではそれらに限定されておらず、図形で表示されていてもよい。時間カウントダウンモジュール２３は、カウントダウン設定ユニット２３１と加工アラームユニット２３２とを備える。カウントダウン設定ユニット２３１は、設定時間カウントダウン情報を格納するためのものであり、機器動作判断ユニット２２１により設備機器１００が起動状態であると判断された場合、時間カウントダウン情報を時間表示モジュール１１１に伝送して表示させる。加工アラームユニット２３２は、アラーム時間値を設定することを提供し、時間カウントダウン情報がアラーム時間値よりも少ない場合、アラーム信号を生成する。時間表示モジュール１１１は、アラーム信号に基づいて、点滅警報の表示を行う。
【００１６】
一つの例として、図２〜図６に示すように、設備機器１００が機械を起動して加工する場合、コントローラ２０は、設備機器１００が起動状態であると判断し、発光モジュール１１２が緑光を表示するように制御することで、操作者に対して、設備機器１００が加工中であると通知し、時間カウントダウンモジュール２３は、時間表示モジュール１１１により時間カウントダウン情報を直接表示する。たとえ操作者が複数の設備機器１００を管理する場合においても、時間表示モジュール１１１と発光モジュール１１２に示される情報に基づいて、設備機器１００の動作状態及び加工時間をリアルタイムに把握できるので、設備機器１００の管理効率を向上させることができる。
【００１７】
また、予めアラーム時間値を３０秒と設定すると、時間カウントダウン情報のカウントダウン時間がアラーム時間値としての３０秒よりも少ない場合、加工アラームユニット２３２は直ちにアラーム信号を生成する。この場合、時間表示モジュール１１１は、アラーム信号に基づいて点滅警報を表示することで、操作者に対して、設備機器１００の加工がまもなく終了することを警告通知するため、設備機器１００の管理の利便性を大幅に向上させる。
【００１８】
また、設備機器１００に故障が発生した場合、コントローラ２０は、設備機器１００が異常状態であると直ちに判断し、発光モジュール１１２が赤光を表示するように制御することで、操作者に対して、現在の設備機器１００に故障が発生し、操作異常の問題を直ちに排除する必要があると警告通知する。
【００１９】
上記のように、本考案は、設備機器１００の動作状態を効果的に監視でき、設備機器１００の現在の加工カウントダウン時間を表示できるため、操作者が各設備機器１００の動作と加工時間をリアルタイムに把握できるという効果を奏する。
【００２０】
上記の実施例は、本考案を例示的に説明するに過ぎず、本考案を限定するものではない。本考案の主旨を逸脱しない範囲での様々な修正や変更は、いずれも本考案の請求の範囲に入る。
【符号の説明】
【００２１】
１００  設備機器
１０  ランプ本体構造
１１  本体
１１１  時間表示モジュール
１１２  発光モジュール
１１３  取付槽
１２  導光カバー
１２１  収容空間
１３  基台
１４  基盤
１４１  ロック孔
２０  コントローラ
２１  信号受信モジュール
２２  発光判断モジュール
２２１  機器動作判断ユニット
２２２  発光制御ユニット
２３  時間カウントダウンモジュール
２３１  カウントダウン設定ユニット
２３２  加工アラームユニット
【図１】
0003220452.tif 000003
【図２】
0003220452.tif 000004
【図３】
0003220452.tif 000005
【図４】
0003220452.tif 000006
【図５】
0003220452.tif 000007
【図６】
0003220452.tif 000008